(57)【要約】      （修正有）【課題】眼で見ながら初心者でも運転が容易であり、振動装置がないため小形軽量であり、安価な籾すり機の穀粒選別装置を提供する。【解決手段】矩形状の薄い板の表面に無数の凹凸を設けた粒穀板１の周囲の三方を角筒状の枠を固着し、一方の先端部を枠の無い解放した浅い箱状の粒穀板の上枠２側を頂上にして、穀粒が滑落する斜面となし、更に右枠４又は左枠３のいずれかの片側を、僅かに上方に位置させた緩い斜面になすと共に、粒穀板の中央に細長い板状で鳥居形をしたセット台５を設け、両端の枠を支点にして、着脱自在に装着し、セット台の平面を挟んで上下にメタルケースを併設して羽根軸を垂直に保持し、羽根ボスに平板を放射状に植立した回転羽根を羽根軸に装着し、回転羽根の側部を粒穀板の表面に僅少の間隔を保持して緩徐な回転をする事を特徴とする。【選択図】図１
2005138097.tif 000002
【特許請求の範囲】
【請求項１】
矩形状の薄い板の表面に無数の凹凸を設けた粒殻板の周囲三方を角筒状の枠を固着し、一方の先端部を枠の無い開放した浅い箱状の粒殻板の上枠側を頂上にして、殻粒が容易に滑落する斜面となし、更に右枠、又は左枠のいづれかの片側をわづかに上方に位置させた緩い斜面になすと共に、粒殻板の上面中央部に細長い板状で鳥居形を形成したセット台を設け、両端の左枠と右枠を支え点にして、着脱自在に装着し、セット台の平面中央部に、セット台の上部平面を挟んで上下にメタルケースを併設して羽根軸を垂直に保持し、羽根ボスに平板を放射状に植立した複数個の羽根を有する回転羽根を羽根軸に装着し、回転羽根の側部を粒殻板の表面に僅少の間隔を保持して緩徐な回転をする事を特長にした籾すり機の穀粒選別装置である。
【請求項２】
矩形状の薄い板の表面に無数の凹凸を設けた粒穀板の周囲三方を角筒状の枠を固着し、一方の表面を枠の無い開放した浅い箱状の粒穀板の上枠側を頂上として、穀粒が容易に滑落する斜面となし更に、右枠、又は左枠のいづれかの片側をわづかに上方に位置させた緩い斜面になすと共に、粒穀板の上面中央部に細長い板状で鳥居形を形成したセット台を設け、両端の左枠と右枠を支え点にして、着脱自在に装着し、セット台の平面中央部に、セット台の上部平面を挟んで上下にメタルケースを併設して羽根軸を垂直に保持し、羽根ボスに、平板状の羽根を放射状に複数個設けた回転羽根の先端に、細長い平鋼の平面に等間隔の溝を設けた受け板Ｂ、の溝に細長い鋼線をＵ字に曲げた選別針を嵌めあわせて、細長い平鋼の側部を直角にわづかに曲げ、両端にセット孔を設けた受け板Ａ、を重ね合わせて、電溶等により固着して櫛状の選別体を着脱自在に設け、粒穀板と僅少の間隔を保持して緩徐なる回転をする事を特長にした籾すり機の選別装置である。
【発明の詳細な説明】
【産業上の利用分野】
【０００１】本発明は農業機会の籾すり機の穀粒選別装置に関するものである。
【背景技術】
【０００２】不従来の籾すり機の選別は、籾と脱浮した玄米との混合粒を傾斜した万石網に流して選別する方法が広く普及して居たものであるが、この方法は使用する場合に一定の技術が必要であり、選別の状況が直接に眼で見えない事が不満であるため、最近では揺動選別籾すり機が直接に眼で見える選別機として広く市販されているのが現状であるが、機体を揺動する必要があるため、重量が重く、大きくなり、従って製造経費が高くなる事と、揺動選別であるため、設置場所が砂地や、柔らかな地盤では選別能力が劣るため、確実な設置が必要である等の他に揺動であるため、機械の騒音が激しく作業中に話しが通じ難い等の不満がある。
【発明が解決する課題】
【０００３】本発明は軽量な籾すり機で選別能率が高く選別状況を眼で見ながら初心者でも容易に運転を可能にする事が課題である。
【課題を解決するための手段】
【０００４】本発明の穀粒の選別方法は、矩形状の薄い板の表面に凹凸を無数に設けた粒穀板の周囲三方を角筒状の枠を固着し、一方の先端部を枠の無い解放した浅い箱状の粒穀板の上枠側を頂上にして、穀粒が容易に滑落する斜面となし、更に右枠か左枠の、いづれかの片側を、わづかに上方に位置させた緩い斜面となす事で、粒穀板の上方から籾と玄米との混合粒を流すと、凹凸面を滑落する時に比重が大である玄米は、下層に集積し、比重小なる籾は上層に浮き上がるため、この上層の籾を回転羽根により片側に寄せる事で、眼で見ながら選別する事が可能になるものである。
【作用】
【０００５】本発明は、籾すり機の穀粒の選別に関するものであり、籾を籾すり機で脱俘する場合に１００％脱俘すれば問題は無いのであるが、現在の籾すり機では、７５％から８５％程度が脱俘され、脱俘されずに籾として残るのは、平均２０％であり、この籾と玄米を分離する事が本案の課題である、図面に示す様に斜設された粒穀板１、の上枠２、の片側に設置されたホッパー２２、のシャッター２３、を矢の方向に引くと、籾と玄米との混合粒が粒穀板１、の上に落下し、粒穀板１、の表面に設けた凹凸面に先端を上下しながら最も低い方に向かって滑落する穀粒は、比重が大であり、表面が円滑である玄米は、斜面の下方にしかも穀粒の下層に集積し、比重が小にして、表面に毛状の表皮のある籾は滑落を繰り返す内に、上層に浮き上がり、図２、に示す様に右枠４、側に略、平行に集積するものであるため、わづかな斜面の上方にある左枠３、側は穀粒の無い空地となっており、斜面の下方になる右枠側の下層は殆ど玄米となり、その上層が籾と玄米の混合粒層となり最も上の層が籾の層になるため、回転羽根８、が回転すると、先端に装着した櫛状の選別体３１、が、玄米は漏落してそのまま粒穀板１、を滑落して玄米吐出口１９、に落下して玄米スクリュウー（図示省略）等で外部に移送し収納され、右枠４、側の上層にある籾２５、と玄米２６、は、回転羽根８、により左枠３、側に押し上げられて滑落を繰り返す内に粒穀板１、の最先端を落下する頃は、左枠３、側は籾２５、が集積し、右枠４、側は玄米２６、が集積し、粒穀板１、の中央部が籾と玄米の混合粒となり、混合流吐出口２０、に落下し、混合粒スクリュウ１７、に移送されて混合粒スロワ１８、によりホッパー２２、に跳ね上げられて再度、選別を繰り返すものであり、左枠３、側から落下する籾２６、は、籾吐出口２１、に落下し、籾スクリュウ（図示省略）により、籾スロワ（図示省略）に移送されて脱俘ロール（図示省略）により再度脱俘されるものである、
【実施例】
【０００６】本案の実施例を図面につき説明すると、矩形状の薄い板の表面に無数の凹凸を設けた粒穀板１、の周囲の三方を角筒状の枠を固着し、一方の先端部を枠のない開放した浅い箱状の粒穀板１、の上枠２、側を頂上にして、穀粒が容易に滑落する斜面になすと共に、更に右枠４、又は左枠のいづれかの片側を、わづかに上方に位置させた緩い斜面になすと共に、粒穀板１、の上面中央部に細長い板状で鳥居形を形成したセット台５、を設け両端の右枠４、と左枠３、の上方を支え点にして、着脱自在に装着し、セット台５、の中央部の上部平面を挟んで上下にメタルケース１２、１２、を併設して、羽根軸６、を垂直に保持し、羽根ボス３３、に平板状の羽根８、８、を放射状に複数個を設けた回転羽根８、の先端に細長い平鋼の平面に等間隔の細い溝を並設した受け板Ｂ、１０、の溝に細長い鋼線をＵ字形に曲げた選別針１１、１１、を連続してはめ併せて、細長い平鋼の一端を、わづかに直角にまげた受け板９、を重ね合わせて双方を固着して櫛状に形成した選別体３１、を着脱自在に設け、選別針１１、の先端を粒穀板１、と僅少の間隔を保持して緩徐なる回転をする様にした籾すり機の穀粒選別装置である。
【発明の効果】
【０００７】本発明は、籾すり機の穀粒選別を眼で見て調整可能な穀粒の比重差を利用する滑落形の選別であるため、揺動形の様に本体や、各部が振動による亀裂破損の懸念がないため、全体の構造を小形軽量にする事で、製造経費を大幅に軽減する事が可能であると共に、揺動の音響も無く、設置する地盤が砂地であっても、揺動形と異なり、能力が劣る事なく、操作方法が簡単であるため、初心者でも容易に適正に操作する事が可能である等の効果がある。
【図面の簡単な説明】
【０００８】
【図１】穀粒選別装置の斜面見取り図である。
【図２】図１、のＡ−Ａ、のＢ視図である。
【図３】選別体の部品図である。
【図４】選別体の部品組み立て図である。
【符号の説明】
【０００９】  １、粒穀委、              ２、上枠            ３、左枠
４、右枠                  ５、セット台        ６、羽根軸
７、羽プーリ              ８、羽              ９、受け板Ａ、
１０、受け板Ｂ、          １１、選別針        １２、メタルケース
１３、羽ベルト            １４  減速機        １５、入力プーリー
１６、出力プーリー        １７、混合粒スクリュウー
１８、混合粒スロワ        １９、玄米吐出口    ２９、混合粒吐出口
２１、籾吐出口            ２２、ホッパー      ２３、シャッター
２４、本体                ２５、籾            ２６、玄米
２７、角度金具            ２８、減速機支持台  ２９、入力ベルト
３０、スクリュウプーリー  ３１、選別体        ３２、セット孔
３３、羽根ボス
【図１】
2005138097.tif 000003
【図２】
2005138097.tif 000004
【図３】
2005138097.tif 000005
【図４】
2005138097.tif 000006